(57)【要約】【課題】本発明は、音響性能に大きく影響を及ぼす音導空間を狭めることなく薄く、かつ音響性能の優れたスピーカシステム１を提供することを目的とする。【解決手段】本発明は、この課題を解決するために、側面４に音孔３を有した筐体５と、前記筐体５の内部に配置されたスピーカ７と、前記スピーカ７の外周部９に配された環状のスペーサ１１からなるスピーカシステム１において、前記スペーサ１１に、溝部１３を設けている。この構成により、スペーサ１１が音の進行を邪魔することを抑制でき、音圧の損失を軽減できる。【選択図】図１
2017112507.tif 000002
【特許請求の範囲】
【請求項１】
第一の壁と、音孔を有し、前記第一の壁に隣り合って形成された側面とを含む筐体と、
前記筐体内に配置され、前記筐体の前記第一の壁と対向する振動板を有するスピーカと、
前記筐体に前記スピーカを保持するように前記第一の壁と接着された接着部を含み、前記スピーカの外周部に配されて、前記振動板と前記第一の壁との間に空洞部を形成する環状のスペーサと、
一方を前記空洞部と、他方を前記音孔と繋がれた音導管と、
を含むスピーカシステムにおいて、
前記スペーサは、前記音導管の下方に配置され、前記スペーサの内縁と外縁をつなぐようにして、前記接着部の前記第一の壁と対向した面から凹んで形成された溝部を、有した、
スピーカシステム。
【請求項２】
前記スペーサは、前記振動板の外縁部と接着された、
請求項１に記載のスピーカシステム。
【請求項３】
前記外縁部は、前記溝部に隣接して配置され、
前記溝部は、前記外縁部とともに第一のＶ溝を形成する第一の切欠け部を有する、
請求項２に記載のスピーカシステム。
【請求項４】
前記筐体は、前記空洞部と前記音導管とを繋ぐ開口部を含み、
前記溝部は、前記開口部の内周の内側に、前記開口部を跨いで配置された、
請求項１に記載のスピーカシステム。
【請求項５】
前記溝部は、前記音導管に露出して配置された、請求項４に記載のスピーカシステム。
【請求項６】
前記筐体は、前記開口部の前記内周の一部を形成し、前記溝部と隣接する位置に設けられた第二の壁を有し、
前記溝部は前記第二の壁と接着された、
請求項４に記載のスピーカシステム。
【請求項７】
前記スピーカは、前記第二の壁に隣接して配置され、
前記第二の壁は、前記スピーカ、または、前記溝部、または、その両方とともに第二のＶ溝を形成する第二の切欠け部を有する、
請求項６に記載のスピーカシステム。
【請求項８】
前記筐体は、前記スペーサと、前記スピーカにおいて前記振動板の反対のスピーカ背面と、前記筐体とで構成される背室を有する、
請求項１に記載のスピーカシステム。
【請求項９】
前記振動板は、前記外縁部に肉厚部を有し、
前記溝部の上面は、前記振動板の前記肉厚部の上面と等しいか、あるいは前記肉厚部の上面よりも低い、
請求項１に記載のスピーカシステム。
【発明の詳細な説明】
【技術分野】
【０００１】
本発明は、たとえばフィーチャーフォンやスマートフォンのような携帯型の電子機器等に用いられるスピーカシステムに関するものである。
【背景技術】
【０００２】
近年、フィーチャーフォンやスマートフォンなどのような携帯型の電子機器が普及してきている。これらの携帯型の電子機器は、携帯性の向上のために、薄いことが要求されている。そこで、このような電子機器に内蔵されるスピーカシステムも薄いことが要求されている。そのため、音孔を横に設けたスピーカシステムが開発されている。
【０００３】
以下、従来のスピーカシステムについて説明する。
【０００４】
従来のスピーカシステムは、筐体と、スピーカと、環状のスペーサとを含んでいる。
【０００５】
筐体は、音孔と、音導管と、第一の壁と、側面とを含んでいる。
【０００６】
スピーカは、筐体内に配されている。なお、スピーカは、振動板を含んでいる。そして、振動板は、第一の壁と対向して配置されている。
【０００７】
スペーサは、スピーカの外周部に配置されている。なお、スペーサは、スペーサの接着部で第一の壁と接着されて、スピーカを保持している。そして、スペーサによって、振動板と第一の壁との間に空洞部が形成されている。空洞部は、音導管によって、音孔と繋がれている。
【０００８】
このような構成において、音導管の一部は、第一の壁によって形成されている。すなわち、音導管とスペーサとの間にも第一の壁が介在している。
【０００９】
なお、この出願の発明に関連する先行技術文献情報としては、例えば、特許文献１が知られている。特許文献１には、筐体（ケース）とスピーカとを、スペーサ（クッション部材）を介して貼り付けられ、横に音孔を有するスピーカシステム（スピーカ本体）が示されている（特許文献１図１２参照）。
【先行技術文献】
【特許文献】
【００１０】
【特許文献１】特開２００７−１９５０１１号公報
【発明の概要】
【発明が解決しようとする課題】
【００１１】
しかしながら、従来のスピーカシステムは、音導管とスペーサとの間に、第一の壁を有している。また、音圧の損失に代表されるような音響性能の低下を抑制するためには、スピーカから発せられた音を音孔へと導く空洞部や音導管などの音導空間を筐体内に十分な大きさで確保することが必要である。したがって、従来のスピーカシステムの筐体の厚みは大きくなるという課題を有していた。
【００１２】
そこで本発明は、この問題を解決したもので、優れた音響性能でありながら、薄いスピーカシステムを提供することが目的である。
【課題を解決するための手段】
【００１３】
この目的を達成するために、本発明のスピーカシステムは、筐体と、スピーカと、環状のスペーサとを含んでいる。筐体は、第一の壁と、側面とを含んでいる。なお、側面は、第一の壁に隣り合って形成されている。スピーカは、振動板を有している。振動板が、第一の壁と対向する向きでスピーカを筐体内に配置している。
【００１４】
スペーサは、第一の壁と接着する接着部を有している。このスペーサの接着部は、第一の壁にスピーカを保持している。さらに、スペーサは、スピーカの外周部に配されて、振動板と第一の壁との間に空洞部を形成している。空洞部は、一方が空洞部と繋がれ、他方が側面の音孔へ向かって延びて配置された音導管によって、音孔へと繋がれている。
【００１５】
以上の構成において、スペーサは、溝部を含んでいる。溝部は、音導管の下方に配置されている。さらに、溝部は、スペーサの内縁と外縁をつなぐようにして、接着部の第一の壁と対向した面から凹んで形成された構成である。この構成により、所期の目的を達することができる。
【発明の効果】
【００１６】
本発明におけるスピーカシステムにおいて、溝部を音導管の下方に配置しているので、音導管と振動板との間の距離を短くしても、スペーサが音の進行を邪魔することを抑制できる。したがって、スピーカシステムは、音圧の損失を軽減できる。
【００１７】
以上の構成により、スピーカシステムは、音響性能に大きく影響を及ぼす音導空間を狭めることなく薄くできる。即ち、薄く、かつ音響性能の優れたスピーカシステムを提供できる。
【図面の簡単な説明】
【００１８】
【図１】本発明の実施の形態におけるスピーカシステムの断面図
【図２】本発明の実施の形態におけるスピーカの斜視図
【図３】本発明の実施の形態におけるスピーカシステムの要部拡大図
【図４】本発明の実施の形態におけるスピーカシステムの上面図
【発明を実施するための形態】
【００１９】
図１は、スピーカシステム１の断面図である。図２は、スピーカ７の斜視図である。なお、図２は、スピーカ７にスペーサ１１が取り付けられた状態を示している。図４は、スピーカシステム１の上面図である。なお、図１は、スピーカシステム１を、図４に示す断面線Ａ−Ａで切断した状態を示している。
【００２０】
スピーカシステム１は、主に、図４に示す筐体５と、図２に示す、環状のスペーサ１１およびスピーカ７の３つの要素から成る。そして、図２に示すスピーカ７の外周部９に環状のスペーサ１１が取り付けられたスピーカ７は、図１の筐体５の内部に取り付けられている。
【００２１】
以下に、スピーカシステム１について、主に図１を参照しながら、その一例を説明する。
【００２２】
筐体５は、音孔３と、壁２と、音導管１２と、側面４とを含んでいる。なお、側面４は、壁２に隣り合って形成されている。
【００２３】
スピーカ７は、振動板６を有している。振動板６が、壁２と対向する向きでスピーカ７を筐体５内に配置している。
【００２４】
スペーサ１１は、壁２と接着する接着部８を有している。スペーサ１１は、接着部８で壁２にスピーカ７を保持している。さらに、スペーサ１１は、スピーカ７の外周部９に配されて、振動板６と壁２との間に空洞部１０を形成している。空洞部１０は、一方が空洞部１０と繋がれ、他方が側面４の音孔３へ向かって延びて配置された音導管１２によって、音孔３へと繋がれている。さらに、スペーサ１１は、溝部１３を含んでいる。溝部１３は、音導管１２の下方に配置されている。そして、溝部１３は、スペーサ１１の内縁と外縁をつなぐようにして、接着部８の壁２と対向した面から凹んで形成された構成である。
【００２５】
以上の構成により、壁２と振動板６との間の距離を短くしても、スペーサ１１が音の進行を邪魔することを抑制できる。したがって、スピーカシステム１を薄くできる。また、振動板６と壁２との間に空洞部１０を形成しているので、振動板６から空洞部１０へ発せられた音は、溝部１３へと伝えられる。即ち、スピーカシステム１は、振動板６から発せられた音を余すことなく発することができる。したがって、スピーカシステム１は、音圧の損失を軽減できる。そして、以上の理由により、スピーカシステム１は、音響性能に大きく影響を及ぼす音導空間を狭めることなく薄型化できる。即ち、薄く、かつ音響性能の優れたスピーカシステム１を提供できる。
【００２６】
スピーカシステム１について、図１を参照しながら、その一例を詳細に説明する。空洞部１０は、側面４に向かって広がって形成することが好ましい。具体的には、壁２が側面４に向かうにつれて、振動板８から徐々に離れる。この構成により、スピーカ７を斜めに配置する必要がない。したがって、スピーカシステム１の大きさの変化を最小限に留めることができる。加えて、振動板８が、押し出せる空気の量を増やせるので、音圧を向上することができる。
【００２７】
また、音孔３は側面４に設けられている。なお、音孔３は、側面に形成された構成に限られず、音響管に接続されていれば、いずれの方向に向いていても構わない。また、音孔３や音響管１２の形状は、矩形状である。この構成により、壁２を平面状とできるので、筐体５を薄くできる。
【００２８】
スペーサ１１の外形の形状は、矩形である。この場合、振動板６を正面にして見たときのスピーカ７の形状は、略矩形状である。なお、スペーサ１１は、中央部に孔を含んでいる。スペーサ１１の孔の形状は、振動板６の形状と同じであることが好ましい。また、スペーサ１１の孔の大きさは、振動板６の大きさと同じか、振動板６の大きさよりも大きいことが好ましい。また、振動板６の外形の形状は、矩形状であることが好ましい。なお、振動板６の外形の形状は、矩形状に限られず、円形や楕円形あるいはトラック状でも良い。そして、スペーサ１１の孔を、このように設けることで、振動板６の発した音は、スペーサ１１に邪魔されることなく、空洞部１０へと導かれる。
【００２９】
スピーカ７は、壁２にスペーサ１１を介して保持されている。音孔３を横に向けたとき、スピーカ７は、筐体５の上面の壁である壁２に向かって振動板６を向けるように保持されている。即ち、スピーカ７から発せられる音の向きが、音孔３から放たれる音の向きに対して、直交の関係になるようにスピーカ７を筐体５内に配置している。
【００３０】
スピーカ７の外周部９にスペーサ１１を取り付けたことにより、スピーカシステム１は、スピーカ背面２１から放出された音の振動板６への音の回り込みを軽減することができる。スピーカ７を、スピーカ７から発せられる音の向きと筐体５の音孔３から放たれる音の向きとが、直交の関係になるように保持することで、スピーカ７から発せられる音の向きと音孔３から放たれる音の向きとが斜交または平行とするように保持した場合に比べ、筐体５の厚みを薄くすることができる。
【００３１】
溝部１３は、音導管１２の下方に配置されている。即ち、溝部１３はスペーサ１１の音導管１２側に、配置されている。溝部１３は、スペーサ１１の内縁から外縁まで形成されている。即ち、スペーサ１１の溝部１３を除く部位が、スペーサ１１と壁２とを接着しスピーカ７を保持する接着部８として機能する。したがって、溝部１３を設けた部位のスペーサ１１の上面は、当然のことながらスペーサ１１の接着部８よりも低くなる。即ち、スピーカ７から発せられた音は、空洞部１０→溝部１３→音導管１２→音孔３へと導かれる。
【００３２】
つまり、スピーカシステム１は、スピーカ７から筐体５の上方向に向って音を発しつつも、筐体５から出力される音を側面４から放つことができる。したがって、スピーカシステム１を薄くできる。
【００３３】
なお、スペーサ１１に設ける溝部１３の幅は、音導管１２の幅またはスピーカ７の幅のいずれか大きい方の幅と同じか、広いことが好ましい。この構成により、溝部１３による音の進行の邪魔を抑制でき、スピーカシステム１は、音圧の損失を軽減できる。また、溝部１３の接着部８に対する凹みの深さは深い方が好ましい。
【００３４】
接着部８と壁２とを接着する際、たとえば接着剤を用いても構わない。接着部８を壁２へ結合するために接着剤を用いた場合、接着剤をスペーサ１１全体に満遍なく塗布することで、接着部８と壁２とを隙間なく接着できる。したがって、スピーカ背面からスピーカの前面への音の回りこみを軽減することができる。  なお、接着剤の種類はエポキシ樹脂系の固体接着剤や、フェノール樹脂系や酢酸ビニル系の液体接着剤、シアノアクリレート系やシリコーンゴム系のゲル系接着剤など、スピーカシステム１１に用いられる部品の材質に合わせて自由に選んで構わない。
【００３５】
接着部８と壁２とを接着剤によって結合したが、この構成に限られず、両面テープによって結合しても良い。この場合、振動板６８に接着剤が付着する心配がない。
【００３６】
筐体５は、スペーサ１１と、スピーカ７の前記振動板６とは反対の面であるスピーカ背面２１と、壁２と壁１８で構成される背室２２を有している。即ち、筐体５の内部は振動板６から発生した音を導く空間と、音の通らない空間に仕切られている。このような背室２２を設けることにより、スピーカ背面２１からの音の回り込みを遮断することができる。
【００３７】
図３は、スピーカシステム１の要部拡大図である。なお、図３は、スピーカシステム１を、図１に示す領域Ｂで拡大したものを示している。以下、スペーサ１１と振動板６との結合や、壁１８とスペーサ１１との結合についてさらに詳細に説明する。
【００３８】
スペーサ１１は、振動板６の外縁部１４と接着されている。スペーサ１１の溝部１３も振動板６の外縁部１４と接着されている。この構成により、振動板６のぐらつきを防ぎ、スピーカシステム１は、耐久性を向上することができる。なお、振動板６は、外縁部１４に肉厚部２３を有している。この構成により、溝部１３またはスペーサ１１と肉厚部２３との接着が容易になるとともに、より強固に接着することができる。また、溝部１３は、溝部１３と隣接する振動板６の外縁部１４とともにＶ溝１５を形成する第一の切欠け部１６を有している。Ｖ溝１５に接着剤を塗布することで、スペーサ１１の溝部１３と振動板６の外縁部１４とを強固に固定することができる。また、固定に用いる接着剤が、音導管１２へと流れ出し、音の進行を邪魔することを防ぐことができる。
【００３９】
さらに、振動板６の肉厚部２３側にも切り欠け部を設け、スペーサ１１または溝部１３と接着してもよい。この構成により、さらにスペーサ１１の溝部１３と振動板６の外縁部１４とを強固に固定することができる。なお、肉厚部２３を設ける際は、溝部１３が音の進行を邪魔しないようにするために、溝部１３の上面が、振動板６の肉厚部２３の上面と等しいか、あるいは肉厚部２３の上面よりも低いことが好ましい。
【００４０】
筐体５は、開口部１７を含んでいる。開口部１７は、空洞部１０と音導管１２とを繋いでいる。溝部１３は、開口部１７の内周２４の内側に、開口部１７を跨いで配置されていることが好ましい。さらには、溝部１３は、音導管１２に露出して配置されていることが好ましい。このような構造とすることにより、スピーカシステム１を薄くできる。また、空洞部１０から音導管１２へと音が伝わる際に、溝部１３が音の進行を邪魔することがなくなり、スピーカシステム１は、音圧の損失を軽減できる。また、なんらかの事情でスペーサ１１の溝部１３の凹みが接着部８に比べ充分な深さが確保できなかった場合に、音圧の損失を軽減することができる。
【００４１】
また、筐体５は、溝部１３と隣接する位置に設けられた壁１８を含むことが好ましい。なお、壁１８は、開口部１７の内周２４の一部を形成している。この場合、スピーカ７は、壁１８に隣接している。そして、溝部１３は、壁１８と接着されていることが好ましい。この構成により、溝部１３と壁１８が接着されることで、スピーカ背面２１からの音の周り込みを抑制することができるとともに、スピーカ７と筐体５とをより強固に保持することができる。
【００４２】
また、壁１８は、切欠け部２０を有していることが好ましい。切欠け部２０は、スピーカ７、または、溝部１３、または、その両方とともにＶ溝１９を形成している。つまり、スピーカ７は、壁１８とスピーカ７、または、溝部１３、またはその両方と接着されて、保持されている。
【００４３】
そして、Ｖ溝１９に接着剤を塗布することで、スピーカ７、または、溝部１３、または、その両方と壁１８とを強固に接着することができる。また、固定に用いる接着剤が、音導管１２へと流れ出し、音の進行を邪魔することを防ぐことができる。
【００４４】
なお、図１に示す溝部１３の一部、または全部をスペーサ１１と代用して、壁２と接着する構成としても良い。この場合、溝部１３に比べて接着面積が増えるため強固に接着することができる。また、この場合でも、溝１３の分だけ音導管１２と振動板６との距離を近くできる。したがって、スピーカシステム１を薄くできる。
【産業上の利用可能性】
【００４５】
以上のように、本発明は、本発明にかかるスピーカシステムを薄くできるという効果を有し、小型の携帯機器等に用いると有用である。
【符号の説明】
【００４６】
１  スピーカシステム
２  （第一の）壁
３  音孔
４  側面
５  筐体
６  振動板
７  スピーカ
８  接着部
９  外周部
１０  空洞部
１１  スペーサ
１２  音導管
１３  溝部
１４  外縁部
１５  （第一の）Ｖ溝
１６  （第一の）切欠け部
１７  開口部
１８  （第二の）壁
１９  （第二の）Ｖ溝
２０  （第二の）切欠け部
２１  スピーカ背面
２２  背室
２３  肉厚部
２４  内周
【図１】
2017112507.tif 000003
【図２】
2017112507.tif 000004
【図３】
2017112507.tif 000005
【図４】
2017112507.tif 000006